(57)【要約】      （修正有）【課題】器本体に収容した洗浄液を必要な量を簡単に出して、洗浄液の出すぎを防止できるようにする開閉弁を提供する。【解決手段】円筒状の弁ケース５の第一の中心軸線７上の上部８側に容器本体１の口部２に着脱自在に設ける取り付け用口部９を設ける。第一の中心軸線７上の下部１０側に注出口１１を設けると共に、取り付け用口部９と注出口１１との間に連通孔１２を設ける。注出口１１の内縁側に第一の中心軸線７を中心とする弁座１３を設け、弁座１３の上部側に弁座１３に着座可能な弁体６を第一の中心軸線７の方向に沿って移動可能に設ける。弁体６の下部側に注出口１１より外側に突設可能な弁操作部１５を設ける。したがって、弁操作部１５を押圧操作することで、押圧操作時のみ洗浄液を注出口１１より簡単に注出することができる。【選択図】図１
0003165763.tif 000002
【実用新案登録請求の範囲】
【請求項１】
筒状の弁ケースの第一の中心軸線上の上部側に容器本体の口部と着脱自在に設ける取り付け用口部を設け、前記第一の中心軸線上の下部側に注出口を設けると共に、前記取り付け用口部と前記注出口との間に連通孔を設け、前記注出口側に前記第一の中心軸線を中心とする弁座を設け、前記弁座の上部側に該弁座に着座可能な弁体を前記第一の中心軸線方向に沿って移動可能に設け、前記弁体の下部側に前記注出口より外側に突設可能な弁操作部を設けることを特徴とする洗浄液用容器の開閉弁。
【請求項２】
前記弁体は上部側の前記第一の中心軸線を中心とする第一の直径より下部側の前記第一の中心軸線を中心とする第二の直径は次第に径小に形成され、
前記第一の直径は前記連通孔の内周における前記第一の中心軸線を中心とした第三の直径より小さく、
前記弁座の前記第一の中心軸線を中心とする第四の直径は、前記第一の直径より小さいと共に前記第二の直径より大きく、
前記弁操作部の前記第一の中心軸線を中心とする第五の直径は、前記注出口の第六の直径より小さく形成されることを特徴とする請求項１記載の洗浄液用容器の開閉弁。
【請求項３】
前記弁ケースと前記弁体との間には、該弁体を前記弁座側に付勢する弾性体を設けたことを特徴とする請求項２記載の洗浄液用容器の開閉弁。
【請求項４】
前記弁体の表面は球面状であり、前記弾性体はコイルバネにより形成され、このコイルバネの下部側を前記弁体の上部側に連設した取り付け部に外嵌合して取り付け、該コイルバネの上部側を前記弁ケースに設けたストッパーにより取り付けることを特徴とする請求項３記載の洗浄液用容器の開閉弁。
【請求項５】
前記取り付け用口部には前記容器本体との取り付け用螺子が設けられ、この取り付け用螺子の上部側の端に前記第一の中心軸線と反対側に向いた鍔部が設けられると共に、該鍔部の端面に前記容器本体と当接可能なパッキンが設けられたことを特徴とする請求項１〜４のいずれか１項に記載の洗浄液用容器の開閉弁。
【請求項６】
前記弁操作部の外周面は上部側より下部側が幅大であって、その下部面は、前記第一の中心軸線を中心として前記外周面側が高くなるように設けられると共に、該下部面の前記第一の中心軸線上に上方へ向けて凹設する凹部が設けられることを特徴とする請求項１〜５のいずれか１項に記載の洗浄液用容器の開閉弁。
【請求項７】
前記弁ケースは前記第一の中心軸線に沿って、前記取り付け用口部を有する合成樹脂製の上部側弁ケース部と、前記注出口を有する鋼製の下部側弁ケース部を備え、前記弁体及び前記弁操作部は鋼製であることを特徴とする請求項１〜６のいずれか１項に記載の洗浄液用容器の開閉弁。
【請求項８】
前記弁ケースに外嵌合するリング状の取り付け受け部をベース上に支柱を介して設けたことを特徴とする請求項１〜７のいずれか１項に記載の洗浄液用容器の開閉弁。
【請求項９】
前記弁ケースに外嵌合するリング状の取り付け受け部に固定用連結部材を設けたことを特徴とする請求項１〜７のいずれか１項に記載の洗浄液用容器の開閉弁。
【考案の詳細な説明】
【技術分野】
【０００１】
本考案は、厨房、洗面台、出入り口等の手洗い場所などで使用される洗浄液用容器の開閉弁に関するものである。
【背景技術】
【０００２】
従来、自立式の洗浄液用容器の上部開口に設けられるキャップは、容器本体の上部に上方へ突出した取り付け用口部に、キャップ本体を螺着し、このキャップ本体にヒンジを介してオーバキャップを回動自在に設け、そしてキャップ本体の上面に設けた注出口より、オーバキャップに設けた封止部を抜くことで開状態とし、そして容器本体を握って下向きにした後、握った手で容器本体をつぶすようにして洗浄液を外部に出すようにしている。一方、注出口に封止部を挿入することで、閉状態とすることができるようになっている（例えば、特許文献１）。
【先行技術文献】
【特許文献】
【０００３】
【特許文献１】特開２０００−３０２１５２号公報
【考案の概要】
【考案が解決しようとする課題】
【０００４】
一般に、容器本体は合成樹脂製であって、そして従来技術では、洗浄液を外部に出す量の調節は容器本体を握った手によるおしつぶしの押圧力によって行うものであり、出す量の調節は容易ではない。特に少量の洗浄液を出すには微妙な手の力加減が必要であり、洗浄液を出しすぎるおそれがあった。
【０００５】
解決しようとする問題点は、容器本体に収容した洗浄液を必要な量を簡単に出して、洗浄液の出すぎを防止できるようにすることを目的とする。
【課題を解決するための手段】
【０００６】
請求項１の洗浄液用容器の開閉弁は、筒状の弁ケースの第一の中心軸線上の上部側に容器本体の口部と着脱自在に設ける取り付け用口部を設け、前記第一の中心軸線上の下部側に注出口を設けると共に、前記取り付け用口部と前記注出口との間に連通孔を設け、前記注出口側に前記第一の中心軸線を中心とする弁座を設け、前記弁座の上部側に該弁座に着座可能な弁体を前記第一の中心軸線方向に沿って移動可能に設け、前記弁体の下部側に前記注出口より外側に突設可能な弁操作部を設けることを特徴とする。
【０００７】
請求項２の洗浄液用容器の開閉弁は、請求項１において、前記弁体は上部側の前記第一の中心軸線を中心とする第一の直径より下部側の前記第一の中心軸線を中心とする第二の直径は次第に径小に形成され、前記第一の直径は前記連通孔の内周における前記第一の中心軸線を中心とした第三の直径より小さく、前記弁座の前記第一の中心軸線を中心とする第四の直径は、前記第一の直径より小さいと共に前記第二の直径より大きく、前記弁操作部の前記第一の中心軸線を中心とする第五の直径は、前記注出口の第六の直径より小さく形成されることを特徴とする。
【０００８】
請求項３の洗浄液用容器の開閉弁は、請求項２において、前記弁ケースと前記弁体との間には、該弁体を前記弁座側に付勢する弾性体を設けたことを特徴とするとする。
【０００９】
請求項４の洗浄液用容器の開閉弁は、請求項３において、前記弁体の表面は球面状であり、前記弾性体はコイルバネにより形成され、このコイルバネの下部側を前記弁体の上部側に連設した取り付け部に外嵌合して取り付け、該コイルバネの上部側を前記弁ケースに設けたストッパーにより取り付けることを特徴とする。
【００１０】
請求項５の洗浄液用容器の開閉弁は、請求項１〜４において、前記取り付け用口部には前記容器本体との取り付け用螺子が設けられ、この取り付け用螺子の上部側の端に前記第一の中心軸線と反対側に向いた鍔部が設けられると共に、該鍔部の端面に前記容器本体と当接可能なパッキンが設けられたことを特徴とする。
【００１１】
請求項６の洗浄液用容器の開閉弁は、請求項１〜５において、前記弁操作部の外周面は上部側より下部側が幅大であって、その下部面は、前記第一の中心軸線を中心として前記外周面側が高くなるように設けられると共に、該下部面の前記第一の中心軸線上に上方へ向けて凹設する凹部が設けられることを特徴とする。
【００１２】
請求項７の洗浄液用容器の開閉弁は、請求項１〜６において、前記弁ケースは前記第一の中心軸線に沿って、前記取り付け用口部を有する合成樹脂製の上部側弁ケース部と、前記注出口を有する鋼製の下部側弁ケース部を備え、前記弁体及び前記弁操作部は鋼製であることを特徴とする。
【００１３】
請求項８の洗浄液用容器の開閉弁は、請求項１〜７において、前記弁ケースに外嵌合するリング状の取り付け受け部をベース上に支柱を介して設けたことを特徴とする。
【００１４】
請求項９の洗浄液用容器の開閉弁は、請求項１〜７において、前記弁ケースに外嵌合するリング状の取り付け受け部に固定用連結部材を設けたことを特徴とする。
【考案の効果】
【００１５】
請求項１の考案によれば、弁操作部の押圧操作により、弁体を押圧させて開弁して洗浄液を注出口より簡単に、しかも第一の中心軸線の方向に取り付け用口部、連通孔、注出口が配置されるので、弁ケース内の洗浄液を下方に確実に排出できる。
【００１６】
請求項２の考案によれば、第一の直径より第二の直径は次第に径小に形成され、第一の直径は第三の直径より小さいので、洗浄液は弁ケースと弁体との間を通過でき、また、第四の直径は、第一の直径より小さいと共に第二の直径より大きくすることで、閉弁、開弁を切り替えすることができ、しかも、第五の直径は、第六の直径より小さく形成されることで、弁操作部を、注出口、弁座側に押し込んで開弁することができる。
【００１７】
請求項３の考案によれば、弾性体により、迅速にしかも確実に弁体を弁座に密着させることができる。
【００１８】
請求項４の考案によれば、弁体の表面が球面状のため洗浄液がこの表面に沿ってスムーズに注出することができる。また、コイルバネを取り付け部に外嵌合することで、コイルバネの直径を大きくすることができる。
【００１９】
請求項５の考案によれば、取り付け用螺子によって容器本体と弁ケースを確実に連結でき、さらにパッキンによって容器本体と弁ケースとの液密性を向上することができる。
【００２０】
請求項６の考案によれば、閉弁時に下部端面に付着する洗浄液が表面張力によって凹部に溜まりやすくなる。
【００２１】
請求項７の考案によれば、容器本体が合成樹脂製の場合には、容器本体と上部側弁ケース部間の接触を合成樹脂同士として、その接触状態を良好に保って液漏れなどを防止でき、さらに手や掌が直接接する箇所となる弁操作部や下部側弁ケース部、さらに弁体を剛性の高い材料で形成することができる。
【００２２】
請求項８の考案によれば、自立したスタンドによって弁ケースを備えた容器本体を設置することができる。
【００２３】
請求項９の考案によれば、固定用連結部材を介して蛇口など弁ケースを備えた容器本体を設置することができる。
【図面の簡単な説明】
【００２４】
【図１】本考案の第１実施例を示す断面図である。
【図２】同全体斜視図である。
【図３】同要部の斜視図である。
【図４】同分解斜視図である。
【図５】同要部の断面図である。
【図６】本考案の第２実施例を示す斜視図である。
【図７】同分解斜視図である。
【図８】本考案の第３実施例を示す斜視図である。
【考案を実施するための最良の形態】
【００２５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２６】
図１〜図５は実施例１を示しており、１は洗浄液（図示せず）を収容した洗浄液用容器本体であり、この容器本体１は、合成樹脂製の有底な円筒状であって、その下部に口部２が突設しており、この口部２には保管時にキャップ（図示せず）を螺着して閉蓋できるように、第一の雄螺子３が形成されている。
【００２７】
この口部２にキャップと交換して取り付けられる開閉弁４は、容器本体１に取り付けられる弁ケース５と、弁ケース５に内蔵される弁体６とを備える。
【００２８】
前記弁ケース５は、第一の中心軸線７を中心とした円筒形状であって、その上部８には口部２に着脱自在に設ける取り付け用口部９を設け、また第一の中心軸線７上の下部10には注出口11が設けられ、これら取り付け用口部９と注出口11とは、第一の中心軸線７に沿って形成され洗浄液（図示せず）が通過可能な連通孔12によって連通している。尚、容器本体１の第二の中心軸線７Ａ上に口部２が設けられることで、容器本体１と開閉弁４との連結時には、第一の中心軸線７、第二の中心軸線７Ａは同軸状に一致するようになっている。
【００２９】
そして、弁ケース５の注出口11の内縁側に第一の中心軸線７に向けた弁座13を設ける。この弁座13は、合成ゴム。合成樹脂などにより形成されるリング状のＯリングに形成されるもので、第一の中心軸線７を中心としており、そして注出口11側の内周にあって第一の中心軸線７の方向に間隔をおいて配置された一対の第一の鍔部14，14Ａ間の溝状となっている箇所にＯリングが嵌合されて、弁座13は第一の中心軸線７を中心として環状に配置されている。
【００３０】
前記弁座13の上部側に着座する弁体６は、鋼製のほぼ球体状であって、注出口11側と対向する裁頭半円球状部位６Ａにあっては、第一の中心軸線７を中心とし下部側より上部側が径大に形成され、下部側には注出口11より第一の中心軸線７の方向に沿って外側に突設できる弁操作部15が設けられ、また弁体６の取り付け用口部９側と対向する裁頭半円球状部位６Ｂの上部側にはコイルバネからなる弾性体16が設けられている。このため裁頭半円球状部位６Ｂの上部側には第一の中心軸線７の方向に取り付け部17が一体に設けられており、この取り付け部17に第一の中心軸線７の方向に拡縮する弾性体16の一端を連結している。尚、弁操作部15の下部側の下部面15Ａは、第一の中心軸線７を中心として下向きに僅かな例えば０．５〜１０度程度の傾斜角度Ｘを有する多少先鋭に形成されており、そして下部面15Ａにおける中心、すなわち第一の中心軸線７上に、上部側に凹設する凹部15Ｂが形成される。この凹部15Ｂの直径、深さは下向きにある凹部15Ｂに洗浄液が表面張力によって落下せずに溜まり込むことができる程度に比較的小さく形成されている。さらに、弁操作部15の第一の中心軸線７を中心とする外周面15Cは、その外径Ｅは、上部側より下部側が次第に幅大、実施例では径大になるようにテーパ状に形成されている。
【００３１】
前記弁ケース５は第一の中心軸線７の方向の中間部で二分割された上部側弁ケース部19と下部側弁ケース部20を連結してなり、上部側弁ケース部19は合成樹脂製であって取り付け用口部９に第一の雄螺子３に螺着可能な取り付け用螺子である第一の雌螺子18を有する。下部側弁ケース部20は鋼製、実施例ではステンレス鋼製である。そして上部側弁ケース部19の第二の雌螺子21に下部側弁ケース部20の第二の雄螺子22を螺着して、両者を一体化している。
【００３２】
上部側弁ケース部19には、取り付け用口部９と、取り付け用口部９に設けた第一の雄螺子３に螺着可能な第一の雌螺子18と、取り付け用口部９の外側縁に設けた第二の鍔部23と、この第二の鍔部23の上部側に設けられ容器本体１の口部２に密着可能なパッキン24を備えている。また、上部側弁ケース部19の外周には下部が上部より径小となる段部19Ａが形成されている。さらに、上部側弁ケース部19の外周における段部19Ａより上側には指の滑り止め用突起19Ｂが設けられている。
【００３３】
下部側弁ケース部20には注出口11、第一の鍔部14，14Ａ及び弁座13が設けられており、この下部側弁ケース部20の上部側内周面の端を切り欠いた段部25が第一の中心軸線７を中心とした円環状に形成され、この段部25に弾性体16のストッパー26が設けられている。実施例ではストッパー26は、段部25に嵌着したスナップリング（止め輪）により形成されている。このストッパー26の一部は、内周面より第一の中心軸線７側に突設しており、そして弾性体16の端がストッパー26に係止して、弾性体16が常時弁体６を注出口11側に付勢している。
【００３４】
前記弾性体16はコイルバネにより形成され、このコイルバネの下部側である一端16Ａを弁体６の上部側に連設した取り付け部17の外側に巻き付けるように外嵌合して取り付け、コイルバネの上部側の他端16Ｂを弁ケース５に設けたストッパー26により取り付けている。
【００３５】
そして、弁体６における裁頭半円球状部位６Ａにおける上部側の第一の中心軸線７を中心とする第一の直径Ａより下部側の第一の中心軸線７を中心とする第二の直径Ｂは次第に径小に形成されている（Ａ＞Ｂ）と共に、第一の直径Ａは連通孔12の内周における第一の中心軸線７を中心とした第三の直径Ｃより小さく形成されている（Ａ＜Ｃ）。また、図１の拡大図の一点鎖線で示すように弁体６が当接していない状態での弁座13の第一の中心軸線７を中心とする第四の直径Ｄは、第一の直径Ａより小さいと共に第二の直径Ｂより大きく形成されている（Ａ＞Ｄ＞Ｂ）。弁操作部15の第一の中心軸線７を中心とする第五の直径Ｅは、注出口11の第六の直径Ｆより小さく形成されている（Ｆ＞Ｅ）。さらに、取り付け部17の第一の中心軸線７を中心とする第七の直径Ｇは、第三の直径Ｃより小さく形成されている（Ｃ＞Ｇ）。
【００３６】
尚、図中は容器本体１のスタンド27であり、設置面である平面視が矩形のベース28に支柱29が立設し、その上端に、弁ケース５が外嵌合されるリング状の取り付け受け部30が設けられている。また、５Ａは第二の雌螺子21と第二の雄螺子22との間に介在する第三のパッキンである。
【００３７】
次に前記構成についてその作用を説明する。上向きにある容器本体１の口部２に設けられたキャップを外して、その第一の雄螺子３に第一の雌螺子18を螺着するように弁ケース５を口部２に装着する。この際、弁体６は弾性体16によって上向きに付勢されていることで、弁座13より離れることはあっても連通孔12を介して落下することなく支持されている。また、口部２と取り付け用口部９とを連結したとき、パッキン24が第二の鍔部23と容器本体１の肩部との間に介在する。また、上部側弁ケース部19の外周に滑り止め用突起19Ｂが設けられているので、指で挟んだ上部側弁ケース部19を滑ることなく回動させて螺着することができる。
【００３８】
次に、開閉弁４を装着した容器本体１を下向きにした状態で、取り付け受け部30に弁ケース５を下向きにして上部側弁ケース部19の段部19Ａを挿入することで、取り付け受け部30は段部19Ａに外嵌合して容器本体１を取り付け受け部30上に縦向きに保持する。この際、弁体６は自重、さらには弾性体16の付勢力によって弁座13に密着して、図１の拡大図の実線で示すようにややつぶれた状態となることで、閉弁状態となり、この結果、容器本体１に収容された洗浄液は注出口11より注出することはない。同時に、容器本体１に収容されている洗浄液は、口部２、取り付け用口部９を通って連通孔12側に流入して、弁座13上の弁ケース５内に収容される。
【００３９】
次に、適量の洗浄液を得るため指や掌を、図１の二点鎖線に示すように注出口11より下方に突設状態の弁操作部15に当てると共に、弁操作部15を弾性体16に抗して上方に押圧すると、弁体６が上方に持ち上げられて、弁体６の裁頭半円球状部位６Ａと復元した弁座13との間に隙間Ｈが形成され、この隙間Ｈより洗浄液が二点鎖線で示すような流れで注出口11を介して指上や掌上に溜り、手や食器或いは洗濯などの洗浄に供される。この弁操作部15を押し上げる際に、指や掌を弁ケース５の下部10に当てることで、指や掌を止めた状態で弁体６を最高高さに持ち上げて、隙間Ｈを最大とすることができる。指や掌を弁操作部15から離すと、弁体６が自重、さらには弾性体16の付勢によって下降して弁体６が弁座13に着座することで、閉弁状態となり、洗浄液の注出が直ちに止まり、適量の洗浄液を得ることができる。
【００４０】
尚、注出口11より注出された洗浄液の一部は、閉弁時に下部面15Ａに残って付着しており、この残った洗浄液は下部面15Ｂより落下しようとするが、洗浄液の表面張力によって凹部15Ｂに溜まり込んで落下しにくくなっている。
【００４１】
そして、容器本体１の洗浄液がなくなったときには、開閉弁４、容器本体１を取り付け受け部30より抜き出し、開閉弁４を容器本体１より外して、容器本体１に新たな洗浄液を詰め替えた後で、開閉弁４を取り付けるか、或いは新たな容器本体１に開閉弁４を取り付けて、再びスタンド27に取り付けて使用するものである。
【００４２】
以上のように、前記実施例では請求項１に対応して、円筒状の弁ケース５の第一の中心軸線７上の上部８に容器本体１の口部２に着脱自在に設ける取り付け用口部９を設け、第一の中心軸線７上の下部10に注出口11を設けると共に、取り付け用口部９と注出口11との間に連通孔12を設け、注出口11の内縁側に第一の中心軸線７を中心とする弁座13を設け、弁座13の上部側に弁座13に着座可能な弁体６を第一の中心軸線７の方向に沿って移動可能に設け、弁体６の下部側に注出口11より外側に突設可能な弁操作部15を設けることにより、弁操作部15を押圧操作することで、押圧操作時のみ洗浄液を注出口11より簡単に注出することができる。さらに、取り付け用口部17、連通孔12、注出口11は、第一の中心軸線７の方向に沿って一直線状に配置されることで、容器本体１内の洗浄液は注出時には、真下に直ちに落下して注出できる。
【００４３】
また、前記実施例では請求項２に対応して、弁体６は上部側の第一の中心軸線７を中心とする第一の直径Ａより下部側の前記第一の中心軸線７を中心とする第二の直径Ｂは次第に径小に形成され、第一の直径Ａは連通孔12の内周における第一の中心軸線７を中心とした第三の直径Ｃより小さいので、洗浄液は弁ケース５の内周と弁体６との間を通過でき、また、弁座13の第一の中心軸線７を中心とする第四の直径Ｄは、第一の直径Ａより小さいと共に第二の直径Ｂより大きくすることで、閉弁、開弁を切り替えすることができ、しかも、弁操作部15の第一の中心軸線７を中心とする第五の直径Ｅは、注出口11の第六の直径Ｆより小さく形成されることで、弁操作部15を、注出口11側に押し込んで開弁することができる。
【００４４】
さらに、前記実施例では請求項３に対応して、弁ケース５と弁体６との間には、弁体６を弁座13側に付勢する弾性体16を設けたことで、指や掌での弁操作部15の押圧を解除すると、弁体６の自重のみならず弾性体16による弾性復元力により、弁体６を直ちに弁座13に密着させることで、迅速にしかも確実に閉弁状態とすることができる。
【００４５】
さらに、前記実施例では請求項４に対応して、弁体６の表面は球面状であることで、洗浄液はスムーズに注出でき、また弾性体16はコイルバネにより形成され、このコイルバネの下部側を弁体６の上部側に連設した取り付け部17に外嵌合して取り付け、コイルバネの上部側を弁ケース５に設けたストッパー26により取り付けることで、コイルバネの直径を大きくすることができる。
【００４６】
しかも、前記実施例では請求項５に対応して、取り付け用口部９には容器本体１との取り付け用螺子である第一の雌螺子18が設けられ、この第一の雌螺子18の上部側の端に第一の中心軸線７と反対側に向いた第二の鍔部23が設けられると共に、該第二の鍔部23の端面に容器本体１と当接可能なパッキン24が設けられたことで、口部２と取り付け用口部９とを連結したとき、パッキン24が第二の鍔部23と容器本体１の肩部との間に介在することで、口部２と取り付け用口部９との箇所における液漏れを防ぐことができる。
【００４７】
また、前記実施例では請求項６に対応して、弁操作部15の外周面15Ｃは上部側より下部側が径大であって、その下部面15Ａは、第一の中心軸線７を中心として外周面15Ｃ側が高くなるように設けられると共に、下部面15Ａの第一の中心軸線７上に上方へ向けて凹設する凹部15Ｂが設けられることにより、隙間Ｈを通って外周面15Ｃに付着している洗浄液は、鋭角Ｙになっている下部面15Ａと外周面15Ｃとの角において液切れしやすくなっている。一方、閉弁時において下部面15Ａに付着している洗浄液は下部面15Ａの傾斜にしたがって中心に集まり、そして凹部15Ｂに溜まり込んで表面張力によって洗浄液が滴下しにくくなる。
【００４８】
また、前記実施例では請求項７に対応して、弁ケース５は第一の中心軸線７に沿って、取り付け用口部９を有する合成樹脂製の上部側弁ケース部19と、注出口11を有する鋼製の下部側弁ケース部20を備え、弁体６及び弁操作部15は鋼製であることで、合成樹脂製の容器本体１の口部２に連結する上部側弁ケース部19を合成樹脂製とすることで、容器本体１が合成樹脂製の場合には、両者間の接触状態を良好に保って液漏れなどを防止でき、さらに手や掌が直接接する箇所となる弁操作部15、下部側弁ケース部20、さらには弁体６を剛性の高い材料で形成することができる。
【００４９】
また、請求項８に対応して、弁ケース５に外嵌合するリング状の取り付け受け部35をベース28上に支柱29を介して設けたことで、自立したスタンド27によって弁ケース５を備えた容器本体１を設置することができる。
【実施例２】
【００５０】
以下に他の実施例について説明する。尚、前記実施例１と同一部分には同一符号を付し、その詳細な説明を省略する。図５、６に示す実施例２においては、実施例１におけるスタンド27を使用せずに、水道の蛇口31周りに取り付けたものであり、この取り付け具32は、蛇口31側に基端を固定するステー、ブラケットなどと称される第一の連結用部材33の先端に弁ケース５を外嵌合する取り付け受け部34を設けたものであって、実施例では第一の連結用部材33の下部に左右一対の取り付け孔35を設ける。この取り付け孔35は、上下方向を貫通した平面視でＴ字形状となっている。取り付け受け部34に下部が設けられたステー、ブラケットなどと称されるアーム状の第一の連結用部材36の基端に上下逆のＴ字形状の突起37を備えており、この突起37を取り付け孔35の幅大部35Ａに挿入した後に、連結用部材33の先端側に移動することでＴ字形状の突起37が取り付け孔35の幅小部35Ｂに係止されるようになっている。そして、取り付けアーム36の抜け止めとしてストッパー38が幅大部35Ａに挿入されるようになっている。
【００５１】
また、連結用部材33の基端は、蛇口31の出口パイプ31Ａに固定される。この固定は、出口パイプ31Ａの下方より、この出口パイプ31Ａを挟むようにＵ字型金具39を設けて連結用部材33の上部に貫通して、Ｕ字型金具39の先端にナット40を螺着して固定したものである。
【００５２】
したがって、蛇口31の出口パイプ31Ａに第一の連結用部材33、第二の連結用部材を介して取り付け受け部35を固定し、そして取り付け受け部34に弁ケース５を嵌合することで、容器本体１と一体な開閉弁４を固定して使用することができる。
【００５３】
このように請求項９に対応して、弁ケース５に外嵌合するリング状の取り付け受け部34に第一、第二の固定用連結部材33，36を設けたことで、蛇口31の出口パイプ31Ａに弁ケース５を備えた容器本体１を設置することができる。
【実施例３】
【００５４】
図７に示す実施例３では、第一の固定用連結部材33の基端を蛇口31の入口パイプ31Ｂに固定したものであり、実施例２と同様に弁ケース５に外嵌合するリング状の取り付け受け部34に第一、第二の固定用連結部材33，36を設けたことで、蛇口31の入口パイプ31Ｂに弁ケース５を備えた容器本体１を設置することができる。
【産業上の利用可能性】
【００５５】
以上のように本考案にかかる洗浄液用容器の開閉弁は、各種の用途に適用できる。
【符号の説明】
【００５６】
１  容器本体
２  口部
５  弁ケース
６  弁体
７  第一の中心軸線
７Ａ  第二の中心軸線
８  上部
９  取り付け用口部
10  下部
11  注出口
12  連通孔
13  弁座
15  弁操作部
15Ａ  下部面
15Ｂ  凹部
15Ｃ  外周面
16  弾性体
16Ａ  一端
16Ｂ  他端
17  取り付け部
18  第一の雌螺子（取り付け用螺子）
19  上部側弁ケース部
20  下部側弁ケース部
24  パッキン
26  ストッパー
28  ベース
29  支柱
33  第一の固定用連結部材
34  取り付け受け部
36  第二の固定用連結部材
Ａ  第一の直径
Ｂ  第二の直径
Ｃ  第三の直径
Ｄ  第四の直径
Ｅ  第五の直径
Ｆ  第六の直径
【図１】
0003165763.tif 000003
【図２】
0003165763.tif 000004
【図３】
0003165763.tif 000005
【図４】
0003165763.tif 000006
【図５】
0003165763.tif 000007
【図６】
0003165763.tif 000008
【図７】
0003165763.tif 000009
【図８】
0003165763.tif 000010